(57)【要約】【課題】リライタブルハイブリッドメディア券面への印刷画像を編集するに際し、印刷仕上がりの向上に配慮した編集プログラム等を提供する。【解決手段】本発明に係る編集プログラムは、ＲＦタグが埋め込まれた印刷媒体の印刷面上に印刷する画像を編集する編集装置に、記憶手段から、ＲＦタグの埋込位置を読み出す読出手順と、印刷面上に印刷する画像を配置する画像配置手順と、ＲＦタグの埋込位置と画像の配置位置とが重複するか否かを判定する判定手順と、判定手順によりＲＦタグの埋込位置と画像の配置位置とが重複すると判定された場合、該重複する旨を通知する通知手順とを実行させる。【選択図】図９
2014021890.tif 000002
【特許請求の範囲】
【請求項１】
ＲＦタグが埋め込まれた印刷媒体の印刷面上に印刷する画像を編集する編集装置に、
記憶手段から、前記ＲＦタグの埋込位置を読み出す読出手順と、
前記印刷面上に印刷する画像を配置する画像配置手順と、
前記ＲＦタグの埋込位置と前記画像の配置位置とが重複するか否かを判定する判定手順と、
前記判定手順により前記ＲＦタグの埋込位置と前記画像の配置位置とが重複すると判定された場合、該重複する旨を通知する通知手順と、
を実行させるための編集プログラム。
【請求項２】
編集画面上、前記印刷面上に前記ＲＦタグの埋込位置を表示する表示手順を実行させ、
前記判定手順は、前記印刷面上に表示された前記ＲＦタグの埋込位置に前記画像が配置されたとき、前記ＲＦタグの埋込位置と前記画像の配置位置とが重複すると判定する、請求項１記載の編集プログラム。
【請求項３】
前記判定手順により前記ＲＦタグの埋込位置と前記画像の配置位置とが重複すると判定された場合、該配置位置に対する画像の配置を禁止する制御手順を実行させる、請求項１又は２記載の編集プログラム。
【請求項４】
前記印刷媒体は、ＲＦタグ付きリライタブルハイブリットメディアである、請求項１ないし３何れか一項記載の編集プログラム。
【請求項５】
前記画像は、コード情報である、請求項１ないし４何れか一項記載の編集プログラム。
編集プログラム。
【請求項６】
ＲＦタグが埋め込まれた印刷媒体の印刷面上に印刷する画像を編集する編集装置に、
記憶手段から、前記ＲＦタグの埋込位置を読み出す読出手順と、
前記印刷面上に印刷する画像を配置する画像配置手順と、
編集画面上、前記印刷面上に前記ＲＦタグの埋込位置を表示する表示手順と、
を実行させるための編集プログラム。
【請求項７】
ＲＦタグが埋め込まれた印刷媒体の印刷面上に印刷する画像を編集する編集装置における編集方法であって、
記憶手段から、前記ＲＦタグの埋込位置を読み出す読出手順と、
前記印刷面上に印刷する画像を配置する画像配置手順と、
前記ＲＦタグの埋込位置と前記画像の配置位置とが重複するか否かを判定する判定手順と、
前記判定手順により前記ＲＦタグの埋込位置と前記画像の配置位置とが重複すると判定された場合、該重複する旨を通知する通知手順と、
を有することを特徴とする編集方法。
【発明の詳細な説明】
【技術分野】
【０００１】
本発明は、編集プログラム及び編集方法の分野に関する。
【背景技術】
【０００２】
従来より、ＲＦＩＤ（Radio Frequency IDentification）が知られている。ＲＦＩＤは、電波などを用いた無線通信によって、離れたところからでも、ＲＦタグ内に書き込まれた情報を瞬時に読み取り、システムにその情報を反映できる技術である。これまで人の手によって行われていた業務をＲＦＩＤの導入により自動化を図ることで、大幅なコスト削減が図れるため、特に商品・部品の管理や工程の管理などの分野でその導入が進んでいるところである。しかしこれまでは、専用の読み取り機がないと、ＲＦタグに書き込まれた情報（中身）を見ることはできないという問題があった。
【０００３】
そこで、近年、ＲＦタグと書き換えのできるリライタブルシートとを組み合わせ、ＲＦタグに書き込まれた電子情報を券面に同時表示するメディアとして、「リライタブルハイブリッドメディア」が普及してきた。リライタブルハイブリッドメディアの表面は、薄い化学素材のシートでできており、またそのシートの間に挟まる形でＲＦタグが埋め込まれている（例えば、図１参照）。
【０００４】
リライタブルハイブリッドメディアの特徴は、ＲＦタグ内の電子情報をリライタブルシート表面に熱を加え黒発色で印刷できる点、リライタブルシート表面の特殊加工により繰り返し書き換えが可能な点、ＲＦタグの電子情報とリライタブルシート表面の印刷情報を同時に書き換え、両情報の一致性を確保できるといった点がある。また、リライタブルハイブリッドメディアは、バーコード情報も併用でき、既存インフラとの親和性も高い。
【０００５】
リライタブルハイブリッドメディアは、出荷・着荷など物流現場で「現品票」や「納品書」として使われたり、工場現場で「作業指示書」として使われるなど、帳票として活用されることも多い。通常、メディアの券面をデザインする場合には、帳票レイアウトエディタのようなツールを用い、券面上に印刷する印刷をデザインしたり編集する。また、リライタブルハイブリッドメディアの券面上に画像印刷すると同時に、ＲＦタグ内に電子情報を書き込むことのできるプリンタおよび印刷システムもある。
【０００６】
例えば、特許文献１には、１台の印刷システムによって、券面への画像情報の印刷と、ＲＦＩＤタグへの情報の書き込みが可能な印刷システムを提供するため、プリンタエンジンとＲＦＩＤリーダ/ライタとプリンタコントローラで構成されるシステムが記載されている。また、ネットワークで接続されたクライアントＰＣで動作する帳票アプリケーション（印刷データとＲＦＩＤデータの双方を編集可能な帳票プログラム）が記載されている。
【発明の概要】
【発明が解決しようとする課題】
【０００７】
しかしながら、リライタブルハイブリッドメディアにはＲＦタグが埋め込まれているため、少々ながらも券面の表面に凹凸部分が存在する。このため、上述の帳票レイアウトエディタのようなツールを用いて、リライタブルハイブリッドメディアの券面上に画像印刷する場合、丁度、券面表面の凸部分に画像印刷が重なると、印刷画像が歪んで印刷される。このため、券面上、印刷仕上がり（見栄え）を損ねてしまうという問題があった。また、バーコードなどが券面表面の凸部分に印刷がされると、バーコードが歪んで印刷されてしまうため、バーコードの読取り精度に不具合を招いてしまうという可能性もある。
【０００８】
本発明では上記のような問題に鑑みて、リライタブルハイブリッドメディア券面への印刷画像を編集するに際し、印刷仕上がりの向上に配慮した編集プログラム等を提供することを目的とする。
【課題を解決するための手段】
【０００９】
上記課題を解決するため、本発明に係る編集プログラムは、ＲＦタグが埋め込まれた印刷媒体の印刷面上に印刷する画像を編集する編集装置に、記憶手段から、前記ＲＦタグの埋込位置を読み出す読出手順と、前記印刷面上に印刷する画像を配置する画像配置手順と、前記ＲＦタグの埋込位置と前記画像の配置位置とが重複するか否かを判定する判定手順と、前記判定手順により前記ＲＦタグの埋込位置と前記画像の配置位置とが重複すると判定された場合、該重複する旨を通知する通知手順とを実行させる。
【００１０】
なお、本発明の構成要素、表現または構成要素の任意の組合せを、方法、装置、システム、コンピュータプログラム、記録媒体、などに適用したものも本発明の態様として有効である。
【発明の効果】
【００１１】
本発明の実施の形態によれば、リライタブルハイブリッドメディア券面への印刷画像を編集するに際し、印刷仕上がりの向上に配慮した編集プログラム等を提供することができる。
【図面の簡単な説明】
【００１２】
【図１】本実施形態に係るリライタブルハイブリッドメディアの一例示す。
【図２】本実施形態に係るリライタブルハイブリッドメディアのプリンタシステム構成図を示す。
【図３】実施形態に係る編集装置１の一実施形態の主要構成を示すハードウェア構成図である。
【図４】本実施形態に係る編集装置１の機能ブロック図の一例を示す。
【図５】本実施形態に係るメディア情報１０１ａの一例を示す。
【図６】本実施形態に係るタイプ１のＲＨメディアの一例を示す。
【図７】本実施形態に係る画像編集画面（その１）の一例を示す。
【図８】本実施形態に係る画像編集画面（その２）の一例を示す。
【図９】本実施形態に係る画像編集画面（その３）の一例を示す。
【図１０】本実施形態に係る編集装置１（判定部１０４）の判定処理を説明するフローチャートである。
【発明を実施するための形態】
【００１３】
以下、本発明を実施するための形態を各実施形態において図面を用いて説明する。
【００１４】
[システム構成]
（システム構成）
図２は、本実施形態に係るリライタブルハイブリッドメディアのプリンタシステム構成図を示す。図２（ａ）に示されるように、本実施形態に係るプリンタシステムは、編集装置１、プリンタ制御装置２、プリンタ３が、ＬＡＮなどのネットワークを介し接続され構成される。なお、以下、リライタブルハイブリッドメディアを、ＲＨメディアと略称することとする。
【００１５】
編集装置１は、ＲＨメディアの券面（印刷面）へ印刷するための印刷画像を編集するコンピュータ装置である。具体的には、ＲＨメディア編集アプリケーション（以下、編集アプリと略称する）１０がインストールされたＰＣ等により実現されうる。ユーザは、編集アプリ１０の画像編集画面を通じて、ＲＨメディアの券面への印刷したい画像を描画、編集する。印刷画像は、編集アプリから、ネットワークを介しプリンタ制御装置２へと送信される。
【００１６】
プリンタ制御装置２は、プリンタ３を制御する。プリンタ制御装置２は、編集装置１の編集アプリ１０から印刷画像を受信すると、プリンタ３を制御し、プリンタ３にセットされているＲＨメディアの券面上に、同印刷画像を印刷させる。
【００１７】
プリンタ３は、ＲＨメディア用のプリンタである。プリンタ３は、プリンタ制御装置２からの制御に従って、プリンタ３にセットされているＲＨメディアの券面上に、同印刷画像を印刷する。
【００１８】
なお、図２（ｂ）に示されるように、本実施形態に係るプリンタシステムは、編集装置１に直接プリンタ３を接続することも可能である。この場合、編集装置１は、プリンタ３を制御するためのプリンタ制御ドライバなどを有する。
【００１９】
（ハードウェア）
図３は、本実施形態に係る編集装置１の一実施形態の主要構成を示すハードウェア構成図である。編集装置１は、主要な構成として、ＣＰＵ１１、ＲＯＭ１２、ＲＡＭ１３、ＨＤＤ１４、記憶媒体読取装置１５、入力装置１６、表示装置１７、及び通信装置１８を含む構成である。
【００２０】
ＣＰＵ１１は、マイクロプロセッサ及びその周辺回路から構成され、装置全体を制御する回路である。また、ＲＯＭ１２は、ＣＰＵ１１で実行される所定の制御プログラムを格納するメモリであり、ＲＡＭ１３は、ＣＰＵ１１がＲＯＭ１２に格納された所定の制御プログラムを実行して各種の制御を行うときの作業領域として使用するメモリである。ＨＤＤ１４は、汎用のＯＳ、各種プログラムを含む各種情報を格納する装置であり、不揮発性の記憶装置である。記憶媒体読取装置１５は、ＣＤやＤＶＤ、ＵＳＢメモリ等の外部記憶媒体から情報を入力する装置である。
【００２１】
入力装置１６は、ユーザが各種入力操作を行うための装置である。入力装置１６は、マウス、キーボード、表示装置１７の表示画面上に重畳するように設けられたタッチパネルスイッチなどを含む。表示装置１７は、各種データを表示画面に表示する装置である。例えばＬＣＤ(Liquid Crystal Display)、ＣＲＴ(Cathode Ray Tube)などから構成される。通信装置１８は、ネットワークを介して他の機器との通信を行う装置である。有線ネットワークや無線ネットワークなど含む各種ネットワーク形態に応じた通信をサポートする。
【００２２】
（機能）
次に、本実施形態に係る編集装置１の主要機能構成について説明する。図４は、本実施形態に係る編集装置１の機能ブロック図の一例を示す。図に示されるように、本実施形態に係る編集装置１（編集アプリ１０）は、記憶部１０１、表示部１０２、画像編集部１０３、判定部１０４、通知部１０５を含む。
【００２３】
記憶部１０１は、メディア情報１０１ａを予め記憶する。メディア情報１０１ａは、ＲＨメディアの種類毎に、例えば、サイズ、形状、ＲＦタグが埋め込まれている位置などの情報が記載されているＲＨメディアのコンフィグ情報である。具体例については後述する。
【００２４】
表示部１０２は、編集アプリ１０の画像編集画面を表示する。ユーザは画像編集画面をＧＵＩとして、ＲＨメディアの印刷面に印刷したい画像を編集する。
【００２５】
画像編集部１０３は、ユーザからの操作指示に従って、画像編集画面上で、ＲＨメディアの印刷面に印刷したい画像を編集する。なお、編集とは、印刷面に印刷したい画像するために必要な処理、例えば、任意画像の描画、文字の入力、削除、ＲＨメディアの印刷面上への画像の配置など、印刷面上の一切の編集処理を含む。
【００２６】
判定部１０４は、印刷面上においてＲＦタグの埋込位置と画像の配置位置とが重複するか否かを判定する。
【００２７】
通知部１０５は、判定部１０４によりＲＦタグの埋込位置と画像の配置位置とが重複すると判定された場合、ＲＦタグ及び画像の配置位置が重複する旨を通知する。通知方法は、一例として、表示部１０２を通じ、画像編集画面上、その旨を表示する方法がある。
【００２８】
以上、編集装置１の主要機能構成である。これらの機能は、実際には装置のＣＰＵ１１が実行する編集アプリ１０のプログラムによりコンピュータに実現させるものである。
【００２９】
（メディア情報１０１ａの一例）
図５は、本実施形態に係るメディア情報１０１ａの一例を示す。上述したように、メディア情報１０１ａは、ＲＨメディアの種類毎に、例えば、サイズ、形状、ＲＦタグが埋め込まれている位置などの情報が記載されているＲＨメディアのコンフィグ情報である。
【００３０】
ＲＨメディアは、帳票等の用途に応じて使い分けられるよう、複数の種類が存在し、その種類（例えば、型番又はタイプ）によって、サイズ、形状、ＲＦタグが埋め込まれている位置などが異なる。このため、メディア情報１０１ａは、ＲＨメディアの種類毎にコンフィグ情報が定義される。
【００３１】
例えば、図例のメディア情報１０１ａの場合、３つの種類のコンフィグ情報が含まれ定義されている。以下、タイプ１の例をとって説明する。
<product id="UH85200-HIXXX">・・・ＲＨメディアの製品ＩＤ、型番を示す。
<type>hibiki</type>・・・ＲＨメディアのタイプ(名)を示す。
<size width="200" height="85"/>・・・ＲＨメディアのサイズを示す。なお、単位はｍｍである。
<ic_layout x="100" y="40"/>・・・ＲＦタグが埋め込まれている位置（開始点）を示す。
<ic_size width="5" height="5"/>・・・ＲＦタグが埋め込まれているサイズ（範囲）を示す。
<memory bank="UII" start="01h" end="10h"/>・・・ＲＦタグ内に有するメモリバンクの種類、開始終端アドレスを示す。
<memory bank="USER" start="00h" end="5Fh"/>・・・ＲＦタグ内に有するメモリバンクの種類、開始終端アドレスを示す。
【００３２】
図６は、本実施形態に係るタイプ１のＲＨメディアの一例を示す。メディア情報１０１ａのタイプ１のコンフィグ情報によれば、図に示されるように、タイプ１（product id="UH85200-HIXXX" type=hibiki）のＲＨメディアは、横２００ｍｍ、縦８０ｍｍのサイズを有する。また、概ね中央位置には、縦横５ｍｍの範囲でＲＦタグが埋め込まれている。
【００３３】
[画像編集画面の一例]
図７は、本実施形態に係る画像編集画面（その１）の一例を示す。ＲＨメディアの券面をデザインする場合、ユーザは、編集装置１を操作し、編集アプリ１０を起動させ、まず画像編集画面を立ち上げる。次に、同画像編集画面において、今回使用するＲＨメディアの型番を指定する。編集アプリ１０は、メディア情報１０１ａを読込んでおり、メディア情報１０１ａに定義されているＲＨメディアの複数種類の中から、一の種類（例えば、型番）を選択させる。
【００３４】
図８は、本実施形態に係る画像編集画面（その２）の一例を示す。ユーザにより一の型番が選択されると、選択された型番のＲＨメディアのコンフィグ情報（例えば、サイズ、形状、ＲＦタグが埋め込まれている位置など）に基づいて、画像編集画面上、ＲＨメディアを表示する。また、ＲＨメディアの中央部分には、ＲＦタグが埋め込まれている「埋込位置」が表示されている。なお、「埋込位置」は、例えば、画像編集画面の右上、「ＲＦタグ埋込表示・非表示」により、表示・非表示を切り替えられる。デフォルトはＲＦタグ埋込表示とする。
【００３５】
図９は、本実施形態に係る画像編集画面（その３）の一例を示す。ユーザは、編集アプリ１０の画像編集画面を通じて、ＲＨメディアの券面へ印刷したい任意の画像を編集していく。具体的に、ＲＨメディアの券面上、印刷したい任意画像の描画、文字の入力、削除、ＲＨメディアの印刷面上への画像の配置などを行う。
【００３６】
ここで、ＲＨメディアのＲＦタグが埋め込まれている「埋込位置」の上に、ユーザが任意画像の描画、文字の入力、画像を配置する。そして、「埋込位置」と画像が重なり合うことになる場合、編集アプリ１０は、例えば、「ＲＦタグの埋込位置と画像が重なりますが、よろしいですか？」など、ユーザに対しその旨の注意を促す表示を行う。
【００３７】
この表示を受け、ユーザが「埋込位置」の上に画像を配置する編集を回避すれば、その結果、ＲＨメディアの券面上、印刷仕上がり（見栄え）を損ねてしまうという問題を回避することができる。また、ＲＨメディアの中央部分には、既にＲＦタグが埋め込まれている「埋込位置」が表示されている場合（例えば、図８参照）、注意を促す表示を受けるまでもなく、ユーザは「埋込位置」の上に画像を配置する編集を回避できる。
【００３８】
なお、ここでは、あくまで注意を促す表示としたが、これは、ユーザのニーズや用途に柔軟性を持たせるためである。つまり、ユーザは「埋込位置」と画像が重なり合うことを承知のうえ、「埋込位置」の上に任意画像を印刷することが可能である。
【００３９】
一方、仮に「埋込位置」と画像が重なり合うことを完全に禁止するのであれば、編集アプリ１０は、例えば、「ＲＦタグの埋込位置と画像が重なりますので、ここに画像を配置することができません。」など、ユーザにその操作を禁止する説明表示を行うこともできる。また、編集アプリ１０は、そのような編集操作を許可しないよう制御する。
【００４０】
[情報処理]
図１０は、本実施形態に係る編集装置１（判定部１０４）の判定処理を説明するフローチャートである。以下、図面を参照しながら説明する。なお、当フローチャートが適用される場面は、ユーザにより、編集アプリ１０が起動され、画像編集画面が立ち上げられてからの場面である。
【００４１】
Ｓ１：判定部１０４は、ＲＨメディアの型番が選択されたか否かを判定する。編集アプリ１０は、画像編集開始の操作等画面が立ち上げられると、メディア情報１０１ａに定義されているＲＨメディアの複数種類の中から一の種類（例えば、型番）を選択させるため、判定部１０４は、ここで選択されたＲＨメディアの型番を取得できる。
【００４２】
Ｓ２：判定部１０４は、メディア情報１０１ａを参照し、選択された型番におけるＲＦタグの埋込位置を取得する。例えば、選択された型番が「UH85200-HIXXX」である場合、判定部１０４は、選択された型番におけるＲＦタグの埋込位置として、<ic_layout x="100" y="40"/>、<ic_size width="5" height="5"/>を取得する（例えば、図５参照）。
【００４３】
Ｓ３：判定部１０４は、画像の配置位置を取得する。画像編集部１０３は、ユーザからの操作指示に従って、画像編集画面上で、ＲＨメディアの印刷面に印刷したい画像を編集する。従って、判定部１０４は、画像の配置位置を画像編集部１０３からリアルタイムに取得できる。
【００４４】
Ｓ４：判定部１０４は、Ｓ２で取得したＲＦタグの埋込位置と、Ｓ３で取得した画像の配置位置とが重複するか否かを判定する。つまり、ＲＦタグの埋込位置上に画像が配置されたか否かを判定する。
【００４５】
Ｓ５：判定部１０４は、ＲＦタグの埋込位置と画像の配置位置とが重複すると判定した場合、その旨を通知部１０５に通知する。そして、通知部１０５は、例えば、表示部１０２を通じ、画像編集画面上、ＲＦタグ及び画像の配置位置が重複する旨を表示させることにより、その旨を通知する。また、他の通知方法として、例えば、ＲＦタグの埋込位置上の色を通常色（例えば、灰色等）から非通常色（例えば、赤等）に変化させることもできる。
【００４６】
Ｓ６：判定部１０４は、編集終了を判定する。編集終了したかどうかは、画像編集部１０３から取得できる。判定部１０４は、編集終了しない場合、Ｓ３へ進み、編集終了するまで、ＲＦタグの埋込位置と画像の配置位置とが重複しないかどうかの判定処理を繰り返す。
【００４７】
以上、本実施形態に係る編集装置１は、ユーザがＲＨメディアの券面（印刷面）に印刷する画像を編集する際、ＲＨメディアのＲＦタグが埋め込まれている「埋込位置」の上に、ユーザが任意画像を配置しようとした場合、ユーザに対しその旨の注意を促す表示を行う。この表示により、ユーザの注意が喚起され、ユーザが「埋込位置」の上に画像を配置する編集を回避できる。
【００４８】
また、画像編集画面中、ＲＦタグが埋め込まれている「埋込位置」の表示・非表示は、切り替えることができる。そして、ＲＦタグ埋込表示である場合は、ＲＨメディアにはＲＦタグの「埋込位置」が表示されているため（例えば、図８参照）、注意を促す表示を受けるまでもなく、ユーザは自発的に「埋込位置」の上に画像を配置する編集を回避できる。
【００４９】
このため、本実施形態に係る編集装置１によれば、ＲＨメディアの券面表面の凸部分に画像が印刷されることを回避し、ひいては、ＲＨメディアの券面上、印刷仕上がり（見栄え）を損ねてしまうという問題を回避することができる。また、バーコード、ＱＲコード（登録商標）などのコード画像が券面表面の凸部分に印刷がされると、コード画像が歪んで印刷されてしまうため、コード情報の読取り精度に不具合を招いてしまうという問題を回避することもできる。
【００５０】
なお、上述したように、「埋込位置」と画像が重なり合うことを完全に禁止することもできる。この場合、通知部１０５は、例えば、「ＲＦタグの埋込位置と画像が重なりますので、ここに画像を配置することができません。」など、ユーザに重複の旨に加えその操作を禁止する旨を通知する。また、画像編集部１０３は、該配置位置に対する画像の配置を禁止するよう制御することができる。
【００５１】
（補足）
ＲＦタグは、ＩＣチップ及びアンテナから構成されるため、ＲＨメディアには、薄い化学素材のシートの間に挟まる形で、ＩＣチップ及びアンテナが埋め込まれているのが一般的である。アンテナは一般的にＩＣチップの厚みよりも薄い。このため、シートの間にＩＣチップ及びアンテナが埋め込まれたとき、物理的には、ＩＣチップ及びアンテナの埋込位置に対応して券面の表面に凹凸部分が存在する。しかし、特に券面表面の凸部分に画像印刷が重なった場合、印刷画像の歪みが大きいのは、ＩＣチップの埋込位置に対応する券面である。
【００５２】
また、アンテナは、リーダとの通信性を向上させるためにＲＨメディア内の広範囲に渡って埋め込まれていることもある。このため、ＩＣチップのみならずアンテナの埋込位置も含め、画像の配置を回避するようにすると、その分画像編集可能な描画領域が少なくなるため、その分、券面編集に係る自由度や利便性が低下する。
【００５３】
従って、本実施形態に係る上述の「ＲＦタグの埋込位置」を、「ＩＣチップの埋込位置」とすることで、ＲＨメディアの券面上、印刷仕上がり（見栄え）を損ねてしまうことを回避しつつも、ＲＨメディアの券面上、画像編集可能な描画領域を十分確保できる。
【００５４】
[総括]
以上、本実施形態によれば、リライタブルハイブリッドメディア券面への印刷画像を編集するに際し、券面上印刷仕上がりの向上に配慮した編集プログラム等を提供することが可能となる。なお、本発明は係る特定の実施形態に限定されるものではなく、特許請求の範囲に記載された本発明の要旨の範囲内において、種々の変形・変更が可能である。
【符号の説明】
【００５５】
１          編集装置
２          プリンタ制御装置
３          プリンタ
１１        ＣＰＵ
１２        ＲＯＭ
１３        ＲＡＭ
１４        ＨＤＤ
１５        記憶媒体読取装置
１６        入力装置
１７        表示装置
１８        通信装置
１０１      記憶部
１０２      表示部
１０３      画像編集部
１０４      判定部
１０５      通知部
【先行技術文献】
【特許文献】
【００５６】
【特許文献１】特許４３６４７７２号
【図１】
2014021890.tif 000003
【図２】
2014021890.tif 000004
【図３】
2014021890.tif 000005
【図４】
2014021890.tif 000006
【図５】
2014021890.tif 000007
【図６】
2014021890.tif 000008
【図７】
2014021890.tif 000009
【図８】
2014021890.tif 000010
【図９】
2014021890.tif 000011
【図１０】
2014021890.tif 000012